(57)【特許請求の範囲】
【請求項１】
筒内に燃料を噴射するための第１の燃料噴射手段と吸気通路内に燃料を噴射するための第２の燃料噴射手段とを備えた内燃機関の制御装置であって、前記内燃機関の排気系には予め定められた温度以上で活性化する排気浄化用の触媒が設けられ、
前記触媒の暖機要求を検知するための要求検知手段と、
前記要求検知手段により暖機要求が検知されたときに、前記第１および第２の燃料噴射手段によって燃料噴射が分担されるように前記第１および第２の燃料噴射手段を制御するとともに、点火時期を遅角するように点火装置を制御するための暖機制御手段と、
前記触媒の暖機終了を検知する終了検知手段と、
前記終了検知手段により暖機終了が検知されたときに、前記暖機制御手段により遅角された点火時期を復帰させるように前記点火装置を制御するための点火遅角終了手段と、
前記暖機制御手段により前記点火時期が遅角されている期間中に、前記内燃機関の出力低下を検知する出力低下検知手段と、
前記終了検知手段により暖機終了が検知される前に、前記出力低下検知手段により前記内燃機関の出力低下が検知されたときに、前記暖機制御手段により遅角された点火時期を復帰させるように前記点火装置を制御するための点火遅角強制終了手段とを備え、
前記内燃機関の出力低下が検知されてから前記点火遅角強制終了手段によって前記点火時期が復帰するまでの期間は、前記暖機終了が検知されてから前記点火遅角終了手段によって前記点火時期が復帰するまでの期間よりも短い、内燃機関の制御装置。
【請求項２】
前記暖機制御手段は、前記暖機要求が検知されたときに、前記第１の燃料噴射手段の分担の割合を前記第２の燃料噴射手段の分担の割合と同等以上にするように、前記第１の燃料噴射手段と前記第２の燃料噴射手段とを制御するための手段を含む、請求項１記載の内燃機関の制御装置。
【請求項３】
前記暖機制御手段は、圧縮行程において燃料を噴射するように、前記第１の燃料噴射手段を制御するための手段を含む、請求項１記載の内燃機関の制御装置。
【請求項４】
前記出力低下検知手段は、前記内燃機関の回転数が所定値以下となったときに、前記内燃機関の出力低下を検知する、請求項１記載の内燃機関の制御装置。
【請求項５】
前記制御装置は、前記内燃機関の温度を検知するための検知手段をさらに含み、
前記要求検知手段は、前記内燃機関の温度が予め定められた温度よりも低いときに、前記暖機要求があることを検知するための手段を含む、請求項１〜４のいずれか１項に記載の内燃機関の制御装置。
【請求項６】
前記第１の燃料噴射手段は、筒内噴射用インジェクタであって、
前記第２の燃料噴射手段は、吸気通路用インジェクタである、請求項１〜５のいずれか１項に記載の内燃機関の制御装置。
【発明の詳細な説明】
【技術分野】
【０００１】
本発明は、筒内に向けて燃料を噴射する第１の燃料噴射手段（筒内噴射用インジェクタ）と吸気通路および／または吸気ポート内に向けて燃料を噴射する第２の燃料噴射手段（吸気通路噴射用インジェクタ）とを備えた内燃機関の制御装置に関し、特に、排気ガス浄化のための触媒を急速に暖機する場合の、内燃機関の制御装置に関する。
【背景技術】
【０００２】
機関吸気通路内に燃料を噴射するための吸気通路噴射用インジェクタと、機関燃焼室内に燃料を噴射するための筒内噴射用インジェクタとを具備し、機関回転数と機関負荷とに基づいて吸気通路噴射用インジェクタと吸気通路噴射用インジェクタとの燃料噴射比率を決定する内燃機関が公知である。
【０００３】
このような内燃機関における、始動開始から排気ガスを浄化する触媒を早期に活性化する直噴火花点火式内燃機関の制御装置が、特開平１１−３２４７６５号公報（特許文献１）に開示されている。この直噴火花点火式内燃機関の制御装置は、機関の燃焼室内に直接燃料を噴射供給する燃料噴射弁と、燃焼室内全体に均質な混合気を形成する燃料供給手段と、燃焼室内の混合気に火花点火する点火栓とを備え、所定の機関運転条件のとき、点火実行時に点火栓周りに偏在する混合気層の空燃比がほぼストイキとなるよう燃料噴射弁の圧縮行程中の燃料噴射量と燃料噴射時期および点火栓の点火時期を制御して成層燃焼を行なう直噴火花点火式内燃機関を制御する。この制御装置は、機関の排気通路に配設された排気浄化触媒を昇温すべき条件を判断する昇温条件判断手段と、排気浄化触媒を昇温すべき条件のとき、燃焼室内全体に形成される混合気の空燃比がストイキよりリーンかつ火炎伝播可能な空燃比となるよう燃料供給手段の燃料噴射量を制御するとともに、点火実行時に点火栓周りに偏在する混合気の空燃比がストイキよりリッチとなるよう燃料噴射弁の圧縮行程中の燃料噴射量と燃料噴射時期および点火栓の点火時期を制御して第２の成層燃焼を行なう制御手段とを備える。
【０００４】
この直噴火花点火式内燃機関の制御装置によると、点火栓周りの混合気層の空燃比をストイキよりリッチな空燃比としているので、主燃焼（火花点火による着火とその後の火炎伝播による燃焼）の際に不完全燃焼物（ＣＯ）が生成され、主燃焼後もこのＣＯが燃焼室内に残存する。また、リッチ混合気層の周囲にストイキよりリーンな混合気を形成しているので、この領域には主燃焼後も酸素が残存する。この残存ＣＯと残存酸素とが主燃焼以降の筒内ガス流動によって混合・再燃焼し、排気温度が上昇する。不完全燃焼物（ＣＯ）は、主燃焼の燃焼過程で生成されるものであるから、主燃焼の終了時点において既に高温状態となっており、燃焼室温度が低い状況下であっても、比較的良好に燃焼させることができる。すなわち、生成したＣＯを燃焼室内と触媒上流の排気通路内でほとんど再燃焼させることが可能となる。なお、主燃焼自体でのＣＯ発生量が少ない均質燃焼時に比べると、触媒へのＣＯの流入量が増加する可能性はあるが、触媒のＣＯ転化開始温度はＨＣ転化開始温度よりも低いので、排気エミッションに対する影響は比較的小さい。また、リーン混合気層の空燃比を火炎伝播可能な空燃比としているので、リッチ混合気層とリーン混合気層との境目で未燃ＨＣが発生することはない。また、燃焼室の隅々まで火炎が良好に伝播されるので、燃焼室内の低温領域（クエンチングエリア）を均質燃焼時と変わりのない小さな領域とすることができる。さらに、リーン混合気が燃焼する領域の過剰な酸素を主燃焼後も残存させる形とするので、主燃焼の終了時点における残存酸素の温度も比較的高温となっており、ＣＯの再燃焼がより速やかに進行する。
【特許文献１】特開平１１−３２４７６５号公報
【発明の開示】
【発明が解決しようとする課題】
【０００５】
触媒暖機のためには、点火タイミングを排気弁開放時期へ近づけるように点火時期を調整して、触媒へ導かれる排気温度を上昇させることが有効である。しかしながら、このような点火タイミング調整は、内燃機関の出力を低下させる方向に作用する。
【０００６】
また、吸気通路噴射用インジェクタと吸気通路噴射用インジェクタでは、触媒暖機時には、上記のような十分な点火時期調整を行なうのに適した両インジェクタ間の燃料噴射比率を設定することが望ましいが、このような燃料噴射比率は、一般的には、内燃機関の燃焼の安定化を最優先したときの燃料噴射比率とは異なる。
【０００７】
したがって、点火時期の調整を伴う触媒暖機運転を行なう場合には、内燃機関の出力（回転数）が低下してエンジンストールの発生に至らないように配慮する必要がある。
【０００８】
この発明はこのような問題点を解決するためになされたものであって、この発明の目的は、点火時期の調整を伴う触媒暖機運転を行なう内燃機関において、内燃機関の出力低下に対して迅速に対処することにより、エンジンストール防止効果を高めることである。
【課題を解決するための手段】
【０００９】
この発明による内燃機関の制御装置は、筒内に燃料を噴射するための第１の燃料噴射手段と吸気通路内に燃料を噴射するための第２の燃料噴射手段とを備えた内燃機関を制御する。この内燃機関の排気系には予め定められた温度以上で活性化する排気浄化用の触媒が設けられている。制御装置は、要求検知手段と、暖機制御手段と、終了検知手段と、点火遅角終了手段と、出力低下検知手段と、点火遅角強制終了手段とを備える。要求検知手段は、触媒の暖機要求を検知する。暖機制御手段は、要求検知手段により暖機要求が検知されたときに、第１および第２の燃料噴射手段によって燃料噴射が分担されるように第１および第２の燃料噴射手段を制御するとともに、点火時期を遅角するように点火装置を制御する。終了検知手段は、触媒の暖機終了を検知する。点火遅角終了手段は、終了検知手段により暖機終了が検知されたときに、暖機制御手段により遅角された点火時期を復帰させるように点火装置を制御する。出力低下検知手段は、暖機制御手段により点火時期が遅角されている期間中に、内燃機関の出力低下を検知する。点火遅角強制終了手段は、終了検知手段により暖機終了が検知される前に、出力低下検知手段により内燃機関の出力低下が検知されたときに、暖機制御手段により遅角された点火時期を復帰させるように点火装置を制御する。
【００１０】
上記内燃機関の制御装置によれば、触媒の暖機要求が検知された場合には、早期に触媒を活性化するために点火時期の遅角により排気温度を上昇させるとともに、点火時期の遅角化が内燃機関の出力を低下させる方向に作用する点を考慮して、内燃機関の出力低下が発生した場合には、点火遅角を強制的に終了させて点火時期を復帰させることができる。これにより、触媒暖機運転中の内燃機関の出力低下に対して迅速に対処して、エンジンストール防止効果を高めることができる。
【００１１】
好ましくは、この発明による内燃機関の制御装置では、内燃機関の出力低下が検知されてから点火遅角強制終了手段によって点火時期が復帰するまでの期間は、暖機終了が検知されてから点火遅角終了手段によって点火時期が復帰するまでの期間よりも短い。
【００１２】
上記内燃機関の制御装置によれば、暖機運転の正常終了時に点火遅角終了手段によって点火時期が復帰するのに要する期間は、内燃機関の出力低下検知時において点火遅角強制終了手段によって点火時期が復帰するのに要する期間よりも長く設定される。したがって、内燃機関の出力低下時にはエンジンストール防止効果を高めるために点火時期を速やかに復帰させる一方で、触媒運転の正常終了時には運転状態をスムーズに移行させることができる。
【００１３】
この発明の他の構成による内燃機関の制御装置は、筒内に燃料を噴射するための第１の燃料噴射手段と吸気通路内に燃料を噴射するための第２の燃料噴射手段とを備えた内燃機関を制御する。この内燃機関の排気系には予め定められた温度以上で活性化する排気浄化用の触媒が設けられている。制御装置は、要求検知手段と、暖機制御手段と、終了検知手段と、出力低下検知手段と、燃料噴射変更手段とを備える。要求検知手段は、触媒の暖機要求を検知する。暖機制御手段は、要求検知手段により暖機要求が検知されたときに、第１および第２の燃料噴射手段によって燃料噴射が分担されるように第１および第２の燃料噴射手段を制御するとともに、点火時期を遅角するように点火装置を制御する。終了検知手段は、触媒の暖機終了を検知する。出力低下検知手段は、暖機制御手段により第１および第２の燃料噴射手段が制御されている期間中に、内燃機関の出力低下を検知する。燃料噴射変更手段は終了検知手段により暖機終了が検知される前に、出力低下検知手段により内燃機関の出力低下が検知されたときに、主に第２の燃料噴射手段によって燃料噴射が行なわれるように第１および第２の燃料噴射手段を制御する。
【００１４】
上記内燃機関の制御装置によれば、触媒の暖機要求が検知された場合には、早期に触媒を活性化するために、第１の燃料噴射手段（たとえば筒内噴射用インジェクタ）および第２の燃料噴射手段（たとえば吸気通路噴射用インジェクタ）によって燃料噴射が分担されるように燃料噴射分担比率（ＤＩ比率）を設定するとともに、点火時期を遅角させて排気温度を上昇させる。さらに、このような触媒暖機に適した設定が内燃機関の出力を低下させる方向に作用する点を考慮して、内燃機関の出力低下が発生した場合には、主に第２の燃料噴射手段によって燃料噴射を行なう（好ましくは、第２の燃料噴射手段から全量を噴射）ことにより、燃焼室内での混合気の均質性を向上させて内燃機関の燃焼状態を安定化させることができる。これにより、触媒暖機運転中の内燃機関の出力低下に対して迅速に対処して、エンジンストール防止効果を高めることができる。
【００１５】
好ましくは、この発明による内燃機関の制御装置では、暖機制御手段は、暖機要求が検知されたときに、第１の燃料噴射手段の分担の割合を第２の燃料噴射手段の分担の割合と同等以上にするように、第１の燃料噴射手段と第２の燃料噴射手段とを制御するための手段を含む。
【００１６】
上記内燃機関の制御装置によれば、第１の燃料噴射手段（たとえば筒内噴射用インジェクタ）の分担の割合を第２の燃料噴射手段（たとえば吸気通路噴射用インジェクタ）の分担の割合と同等またはそれより多くなるようにして（たとえば６５％を筒内噴射用インジェクタで分担）、筒内噴射用インジェクタを用いて圧縮行程で燃料を噴射する。このようにすると、吸気通路噴射用インジェクタによる均質混合気（全体として空燃比がリーンな混合気）と、筒内噴射用インジェクタによる成層混合気（点火プラグ周りの空燃比がリッチな混合気）とを燃焼室内に形成させることができる。このとき、特に、筒内噴射用インジェクタの比率の方が同等か高いので、点火プラグ周りの混合気の空燃比をよりリッチにできる。さらに、その成層混合気の周りは均質な混合気であるので、火炎の伝播が良好な状態にできる。すなわち、燃料噴霧状態において、点火プラグ周りの空燃比がリッチな混合気層と、均質混合気層との境目においても、燃料の拡散によって空燃比が希薄になる領域が部分的に発生しなくなり、このような領域がないので火炎が伝播しやすく、未燃燃料（ＨＣ）が発生しにくい。このような状態においては、点火時期を大きく遅角させることができ、排気温度を容易に上昇させることができる。これは、点火プラグ周りの混合気層の空燃比がストイキよりもリッチな空燃比としているので、主燃焼（点火プラグによる火花点火による着火とその後の火炎伝播による燃焼）の際に不完全燃焼物（ＣＯ）が生成され、主燃焼後もこのＣＯが燃焼室内に残存する。この空燃比がリッチ混合気層の周囲にある、空燃比がリーンな均質混合層には、この主燃焼後も酸素が残存する。この残存ＣＯと残存酸素とが主燃焼以降の筒内ガス流動によって混合して再燃焼することにより、排気温度が上昇すると考えられる。排気温度の上昇により、始動開始から触媒が活性化するまでの間における大気中へのＨＣの排出を抑制しながら、触媒を急速に暖機して、触媒を早期に活性化することができる。その結果、内燃機関の始動時における排気浄化触媒の急速暖機を、始動時におけるエミッションの悪化を生じさせることなく良好に実施できる。
【００１７】
また好ましくは、この発明による内燃機関の制御装置では、暖機制御手段は、圧縮行程において燃料を噴射するように、第１の燃料噴射手段を制御するための手段を含む。
【００１８】
上記内燃機関の制御装置によれば、圧縮行程において筒内噴射用インジェクタから噴射された燃料は、点火プラグ周りに空燃比が比較的リッチ（たとえば１５．５程度）な混合気を形成できる。そのため、点火時期を大幅に遅角させることができ、排気温度を上昇させて、触媒を急速に暖機して、触媒を早期に活性化することができる。
【００１９】
あるいは好ましくは、この発明による内燃機関の制御装置では、出力低下検知手段は、内燃機関の回転数が所定値以下となったときに、内燃機関の出力低下を検知する。
【００２０】
上記内燃機関の制御装置によれば、内燃機関の回転数の監視により、効率的にエンジンストールの発生に至る可能性のある出力低下を検知できる。
【００２１】
さらに好ましくは、この発明による内燃機関の制御装置では、制御装置は、内燃機関の温度を検知するための検知手段をさらに含む。さらに、要求検知手段は、内燃機関の温度が予め定められた温度よりも低いときに、暖機要求があることを検知するための手段を含む。
【００２２】
上記内燃機関の制御装置によれば、内燃機関の温度（内燃機関の冷却水温度から推定してもよい）が低いときには、触媒も冷えて活性化していないと判断できるので、暖機要求があることを検知することができる。
【００２３】
あるいは、さらに好ましくは、この発明による内燃機関の制御装置では、第１の燃料噴射手段は、筒内噴射用インジェクタであって、第２の燃料噴射手段は、吸気通路用インジェクタである。
【００２４】
上記内燃機関の制御装置によれば、第１の燃料噴射手段である筒内噴射用インジェクタと第２の燃料噴射手段である吸気通路噴射用インジェクタとを別個に設けて噴射燃料を分担する内燃機関において、内燃機関の始動時における排気浄化触媒の急速暖機を良好に実施して始動時におけるエミッションの悪化を生じさせることのない、内燃機関の制御装置を提供することができる。
【発明の効果】
【００２５】
この発明による内燃機関の制御装置によれば、点火時期の調整を伴う触媒暖機運転を行なう内燃機関において、内燃機関の出力低下に対して迅速に対処することにより、エンジンストール防止効果を高めることである。
【発明を実施するための最良の形態】
【００２６】
以下、図面を参照しつつ、本発明の実施の形態について説明する。以下の説明では、同一の部品には同一の符号を付してある。それらの名称および機能も同じである。したがってそれらについての詳細な説明は繰り返さない。
【００２７】
図１に、本発明の実施の形態に係る内燃機関の制御装置であるエンジンＥＣＵ（Electronic Control Unit）で制御されるエンジンシステムの概略構成図を示す。なお、図１に
は、エンジンとして直列４気筒ガソリンエンジンを示すが、本発明はこのようなエンジンに限定されるものではない。
【００２８】
図１に示すように、エンジン１０は、４つの気筒１１２を備え、各気筒１１２はそれぞれ対応するインテークマニホールド２０を介して共通のサージタンク３０に接続されている。サージタンク３０は、吸気ダクト４０を介してエアクリーナ５０に接続され、吸気ダクト４０内にはエアフローメータ４２が配置されるとともに、電動モータ６０によって駆動されるスロットルバルブ７０が配置されている。このスロットルバルブ７０は、アクセルペダル１００とは独立してエンジンＥＣＵ３００の出力信号に基づいてその開度が制御される。一方、各気筒１１２は共通のエキゾーストマニホールド８０に連結され、このエキゾーストマニホールド８０は三元触媒コンバータ９０に連結されている。
【００２９】
各気筒１１２に対しては、筒内に向けて燃料を噴射するための筒内噴射用インジェクタ１１０と、吸気ポートまたは／および吸気通路内に向けて燃料を噴射するための吸気通路噴射用インジェクタ１２０とがそれぞれ設けられている。これらインジェクタ１１０、１２０はエンジンＥＣＵ３００の出力信号に基づいてそれぞれ制御される。また、各気筒内噴射用インジェクタ１１０は共通の燃料分配管１３０に接続されており、この燃料分配管１３０は燃料分配管１３０に向けて流通可能な逆止弁１４０を介して、機関駆動式の高圧燃料ポンプ１５０に接続されている。なお、本実施の形態においては、２つのインジェクタが別個に設けられた内燃機関について説明するが、本発明はこのような内燃機関に限定されない。たとえば、筒内噴射機能と吸気通路噴射機能とを併せ持つような１個のインジェクタを有する内燃機関であってもよい。
【００３０】
図１に示すように、高圧燃料ポンプ１５０の吐出側は電磁スピル弁１５２を介して高圧燃料ポンプ１５０の吸入側に連結されており、この電磁スピル弁１５２の開度が小さいときほど、高圧燃料ポンプ１５０から燃料分配管１３０内に供給される燃料量が増大され、電磁スピル弁１５２が全開にされると、高圧燃料ポンプ１５０から燃料分配管１３０への燃料供給が停止されるように構成されている。なお、電磁スピル弁１５２はエンジンＥＣＵ３００の出力信号に基づいて制御される。
【００３１】
一方、各吸気通路噴射用インジェクタ１２０は、共通する低圧側の燃料分配管１６０に接続されており、燃料分配管１６０および高圧燃料ポンプ１５０は共通の燃料圧レギュレータ１７０を介して、電動モータ駆動式の低圧燃料ポンプ１８０に接続されている。さらに、低圧燃料ポンプ１８０は燃料フィルタ１９０を介して燃料タンク２００に接続されている。燃料圧レギュレータ１７０は低圧燃料ポンプ１８０から吐出された燃料の燃料圧が予め定められた設定燃料圧よりも高くなると、低圧燃料ポンプ１８０から吐出された燃料の一部を燃料タンク２００に戻すように構成されており、したがって吸気通路噴射用インジェクタ１２０に供給されている燃料圧および高圧燃料ポンプ１５０に供給されている燃料圧が上記設定燃料圧よりも高くなるのを阻止している。
【００３２】
エンジンＥＣＵ３００は、デジタルコンピュータから構成され、双方向性バス３１０を介して相互に接続されたＲＯＭ(Read Only Memory)３２０、ＲＡＭ(Random Access Memory)３３０、ＣＰＵ(Central Processing Unit)３４０、入力ポート３５０および出力ポート３６０を備えている。
【００３３】
エアフローメータ４２は吸入空気量に比例した出力電圧を発生し、このエアフローメータ４２の出力電圧はＡ／Ｄ変換器３７０を介して入力ポート３５０に入力される。エンジン１０には機関冷却水温に比例した出力電圧を発生する水温センサ３８０が取付けられ、この水温センサ３８０の出力電圧は、Ａ／Ｄ変換器３９０を介して入力ポート３５０に入力される。
【００３４】
燃料分配管１３０には燃料分配管１３０内の燃料圧に比例した出力電圧を発生する燃料圧センサ４００が取付けられ、この燃料圧センサ４００の出力電圧は、Ａ／Ｄ変換器４１０を介して入力ポート３５０に入力される。三元触媒コンバータ９０上流のエキゾーストマニホールド８０には、排気ガス中の酸素濃度に比例した出力電圧を発生する空燃比センサ４２０が取付けられ、この空燃比センサ４２０の出力電圧は、Ａ／Ｄ変換器４３０を介して入力ポート３５０に入力される。
【００３５】
本実施の形態に係るエンジンシステムにおける空燃比センサ４２０は、エンジン１０で燃焼された混合気の空燃比に比例した出力電圧を発生する全域空燃比センサ（リニア空燃比センサ）である。なお、空燃比センサ４２０としては、エンジン１０で燃焼された混合気の空燃比が理論空燃比に対してリッチであるかリーンであるかをオン−オフ的に検出するＯ2センサを用いてもよい。
【００３６】
アクセルペダル１００は、アクセルペダル１００の踏込み量に比例した出力電圧を発生するアクセル開度センサ４４０に接続され、アクセル開度センサ４４０の出力電圧は、Ａ／Ｄ変換器４５０を介して入力ポート３５０に入力される。また、入力ポート３５０には、機関回転数を表わす出力パルスを発生する回転数センサ４６０が接続されている。エンジンＥＣＵ３００のＲＯＭ３２０には、上述のアクセル開度センサ４４０および回転数センサ４６０により得られる機関負荷率および機関回転数に基づき、運転状態に対応させて設定されている燃料噴射量の値や機関冷却水温に基づく補正値などが予めマップ化されて記憶されている。
【００３７】
エンジンＥＣＵ３００は、所定プログラムの実行により各センサからの信号に基づいて、エンジンシステムの全体動作を制御するための各種制御信号を生成する。これらの制御信号は、出力ポート３６０および駆動回路４７０を介して、エンジンシステムを構成する機器・回路群へ送出される。
【００３８】
また、図１に例示するエンジン１０は、筒内噴射用インジェクタ１１０と吸気通路噴射用インジェクタ１２０とで燃料を分担して噴射する。エンジンＥＣＵ３００のＲＯＭ３２０に記憶される、筒内噴射用インジェクタ１１０と吸気通路噴射用インジェクタ１２０との噴き分け比率（以下、直噴比率、ＤＩ比率、ＤＩ比率ｒ（または単にｒ）とも記載する。）を表わすマップについて説明する。このようなマップは、たとえば、エンジン回転数を横軸にして、負荷率を縦軸にして、筒内噴射用インジェクタ１１０の分担比率が直噴比率（ＤＩ比率ｒ）として百分率で示されている。
【００３９】
エンジン回転数と負荷率とにより定まる運転領域ごとに、直噴比率（ＤＩ比率ｒ）が設定されている。「直噴１００％」とは、筒内噴射用インジェクタ１１０からのみ燃料噴射が行なわれる領域（ｒ＝１．０、ｒ＝１００％）であることを意味し、「直噴０〜２０％」とは、筒内噴射用インジェクタ１１０からの燃料噴射が、全噴射量の０〜２０％である領域（ｒ＝０〜０．２）であることを意味している。たとえば、「直噴４０％」とは、筒内噴射用インジェクタ１１０から全噴射量の４０％が噴射され、吸気通路噴射用インジェクタ１２０から全噴射量の６０％が噴射されることを示す。
【００４０】
概略的には、筒内噴射用インジェクタ１１０が出力性能の上昇に寄与し、吸気通路噴射用インジェクタ１２０は、混合気の均一性向上に寄与する。このような特性の異なる２種類のインジェクタを内燃機関の回転数および負荷率で使い分けることにより、内燃機関の通常運転状態（たとえば、アイドル時の触媒暖機時が通常運転状態以外の非運転状態の一例であると言える）場合には、主に均質燃焼運転が行なわれるようにしている。なお、ＤＩ比率の好ましい設定（マップ構成例）については後ほど詳細に説明する。
【００４１】
なお、三元触媒コンバータ９０は、理論空燃比（Ａ／Ｆ（空気重量／燃料重量）＝１４．７）近傍において排気中のＣＯ、ＨＣの酸化とＮＯｘの還元を行なって排気を浄化することができる三元触媒である。この三元触媒コンバータ９０における触媒（プラチナ、ロジウム、パラジウム等）は、ある程度の温度（高温）にならないと、活性化せず、浄化機能が作用しない。
【００４２】
本実施の形態に係る制御装置においては、筒内噴射用インジェクタ１１０と吸気通路噴射用インジェクタ１２０とを備えたエンジン１０の始動後において、三元触媒コンバータ９０を早期に昇温して触媒を活性化させて、排気浄化をエンジン１０の始動直後できるだけ早く作用させるための急速触媒暖機運転を行なう。
【００４３】
なお、三元触媒コンバータ９０が活性化したか否かは、三元触媒コンバータ９０の排気下流側に、排気中の特定成分（たとえば、酸素）濃度を検知して、、判断することができる。たとえば、三元触媒コンバータ９０の下流側に設けた酸素センサが活性化しているか否かを判断する。具体的には、三元触媒コンバータ９０が活性化しているか否かを、下流側の酸素センサの検知値号の変化に基づいて判断することになる。これは、三元触媒コンバータ９０の下流側に設けられる酸素センサが活性化したのは、三元触媒コンバータ９０の活性化の出口側排気温度の上昇（酸化反応）によるものであるとして、三元触媒コンバータ９０が活性化したと判断するものである。
【００４４】
また、エンジン冷却水の水温もしくはエンジンオイルの油温等を検知して三元触媒コンバータ９０の温度を推定し、その結果に基づいて三元触媒コンバータ９０の活性化を判断することができる。さらには、直接的に三元触媒コンバータ９０の温度（出口温度）を検知することによっても三元触媒コンバータ９０の活性化を判断することができる。
【００４５】
次に図２を用いて、本発明の実施の形態に係る制御装置であるエンジンＥＣＵ３００で実行されるプログラムの制御構造について説明する。
【００４６】
図２を参照して、ステップＳ（以下、ステップをＳと略す。）１００にて、エンジンＥＣＵ３００は、エンジン１０が始動されたか否かを判断する。このとき、他のＥＣＵからエンジンＥＣＵ３００に入力されるエンジン始動要求信号や、エンジンＥＣＵ３００自体により処理された結果に基づいて判断される。エンジン１０が始動されると（Ｓ１００にてＹＥＳ）、処理はＳ１２０へ移される。エンジン１０が始動されていないときには（Ｓ１００にてＮＯ）、この処理は終了される。
【００４７】
Ｓ１２０にて、エンジンＥＣＵ３００は、急速触媒暖機必要条件の成立を判定することにより、急速触媒暖機が必要な状況であるか否かを判断する。このとき、上述したように、三元触媒コンバータ９０の下流側に設けられた酸素センサの検知値号の変化に基づいて三元触媒コンバータ９０が活性化していないと、急速触媒暖機は必要であると判断される。また、エンジン冷却水の水温もしくはエンジンオイルの油温等から急速触媒暖機が必要であるか否かを判断するようにしてもよい。
【００４８】
触媒急速暖機が必要であると（Ｓ１２０にてＹＥＳ）、処理はＳ１３０へ移される。もしそうでないと（Ｓ１２０にてＮＯ）、処理はＳ１７０へ移される。
【００４９】
Ｓ１３０にて、エンジンＥＣＵ３００は、急速触媒暖機処理を実行する。このとき、たとえば、図３に示すように、点火時期、筒内噴射用インジェクタ１１０の噴射時期、燃料噴射量、供給空気量、ＤＩ比率ｒが、エンジンＥＣＵ３００により制御される。
【００５０】
なお、図３におけるＤＩ比率の値は一例であるが、５０％以上（筒内噴射用インジェクタ１１０の分担の割合を吸気通路噴射用インジェクタ１２０の分担の割合と同等以上）であることが好ましい。また、燃料量減量については、一例として、排気における空燃比が１５．５程度のリーンな状態にすればよい。このように減量することにより、未燃ＨＣを減少させることにもなる。なお、エンジン１０の始動直後は増量補正（エンジン１０の始動時にトルクが要求されることに対応するための増量補正や壁面付着に対応するための増量補正）されるが、始動時を経過して始動時のトルクが要求されなくなったり、壁面付着燃料が飽和したりするため、燃料量が減量される。このように、筒内噴射用インジェクタ１１０からの圧縮行程における燃料噴射量を減量しても、着火に必要な燃料量だけが点火プラグ付近に存在し、リーン限界が高くなるので失火しない。そして、触媒暖機に寄与する後燃え用の燃料（吸気通路噴射用インジェクタ１２０から供給される分）が（増量補正によって）要求量だけ供給されている。この後燃え燃料があるので、触媒暖機を達成することができる。
【００５１】
Ｓ１４０にて、エンジンＥＣＵ３００は、急速触媒暖機処理による諸条件の設定（図３）がエンジン出力を低下させる方向に作用する点を考慮して、エンジン１０の出力低下が発生しているか否かを判断する。具体的には、エンジン回転数を基準回転数と比較することによって、Ｓ１４０の判断が実行される。この基準回転数は、エンジンストールの発生を未然に防止できるように設定される。エンジンストールのおそれがあるような出力低下が生じていると判断されると（Ｓ１４０にてＹＥＳ）、処理はＳ１８０へ移される。もしそうでないと（Ｓ１４０にてＮＯ）、処理はＳ１５０へ移される。
【００５２】
Ｓ１５０にて、エンジンＥＣＵ３００は、急速触媒暖機終了条件の成立を判定することにより、急速触媒暖機を終了するか否かを判断する。このとき、上述したように、三元触媒コンバータ９０の下流側に設けられた酸素センサの検知値号の変化に基づいて三元触媒コンバータ９０が活性化していると、急速触媒暖機は終了すると判断される。また、エンジン冷却水の水温もしくはエンジンオイルの油温等から急速触媒暖機を終了するか否かを判断するようにしてもよい。さらに、エンジン冷却水の水温が始動時より予め定められた値以上上昇した否かに基づいて、急速触媒暖機を終了するか否かを判断するようにしてもよい。さらに、吸入空気量の積算値に基づいて、エンジン１０が予め定められた時間以上運転していか否かを判断することにより、急速触媒暖機を終了するか否かを判断するようにしてもよい。
【００５３】
触媒急速暖機を終了すると判断されると（Ｓ１５０にてＹＥＳ）、処理はＳ１６０へ移される。もしそうでないと（Ｓ１５０にてＮＯ）、処理はＳ１３０へ戻される。
【００５４】
すなわち、触媒急速暖機処理中にエンジン出力が低下することなく（Ｓ１４０にてＹＥＳ）、触媒急速暖機が正常に終了するときには、ステップＳ１６０を経てステップＳ１７０が実行される。
【００５５】
Ｓ１７０にて、エンジンＥＣＵ３００は、エンジン１０に対して通常の運転処理を実行する。このとき、一時的に急速触媒暖機用に設定されていた、点火時期、筒内噴射用インジェクタ１１０の噴射時期、燃料噴射量、供給空気量、ＤＩ比率ｒが、エンジンＥＣＵ３００により通常運転用に戻される。ステップＳ１６０では、エンジンＥＣＵ３００は、急速触媒暖機処理による諸条件の設定（図３）をステップＳ１７０での通常運転処理へ戻す処理（正常時移行処理）を行なう。
【００５６】
一方、触媒急速暖機処理中にエンジン出力が低下したときには（Ｓ１４０でＹＥＳ）、ステップＳ１８０を経てステップＳ１７０が実行される。すなわち、エンジンＥＣＵ３００は、触媒急速暖機終了条件の成立（Ｓ１４０）を待つことなく、ステップＳ１８０により点火時期遅角化を直ちに終了する処理を行なって、ステップＳ１７０での通常の運転処理を実行する。
【００５７】
なお、急速触媒暖機は、アイドル運転時に限定して実行される。このため、フローチャート中には図示しないが、急速触媒暖機運転中に運転者のアクセル操作やシフトポジション操作により非アイドル運転となった場合には、急速触媒暖機は強制的に終了されて、処理はＳ１７０へ移される。
【００５８】
以上のような構造およびフローチャートに基づく、本実施の形態に係る制御装置であるエンジンＥＣＵ３００により制御されるエンジン１０の動作について説明する。なお、以下の説明においては、急速触媒暖機を必要とする場合のエンジン１０の始動時の動作について説明する。
【００５９】
エンジン１０の始動後（Ｓ１００にてＹＥＳ）、三元触媒コンバータ９０の下流側に設けられた酸素センサの検知値号の変化に基づいて三元触媒コンバータ９０が活性化していないと、急速触媒暖機は必要であると判断される（Ｓ１２０にてＹＥＳ）。このような場合、図３に示すような値になるように、点火時期、筒内噴射用インジェクタ１１０の噴射時期、燃料噴射量、供給空気量、ＤＩ比率ｒが、エンジンＥＣＵ３００により制御される（Ｓ１３０）。
【００６０】
このように制御されたエンジンにおいては、筒内噴射用インジェクタ１１０の分担の割合を吸気通路噴射用インジェクタ１２０の分担の割合と同等またはそれより多い６５％程度になるようにして、筒内噴射用インジェクタ１１０から圧縮行程で燃料を筒内に噴射する。吸気通路噴射用インジェクタ１２０から吸気行程で燃料を吸気管内に噴射することが好ましい。このとき、吸気通路噴射用インジェクタ１２０による全体として空燃比がリーンで均質状態の混合気と、筒内噴射用インジェクタ１１０による点火プラグ周りの空燃比がリッチな成層状態の混合気とが燃焼室内で形成される（このような燃焼状態は、「弱成層燃焼状態」とも称される）。点火プラグでの点火時期を大きく遅角（たとえば、ＡＴＤＣ１５゜）しても、筒内噴射用インジェクタ１１０の比率の方が同等か高いので、点火プラグ周りの混合気の空燃比をよりリッチであり、さらに、その点火プラグ周りの混合気の周りは、吸気通路噴射用インジェクタ１２０により形成された均質な混合気であるので、火炎の伝播を良好にできる。このように火炎が伝播しやすく、未燃燃料（ＨＣ）が発生しにくい。点火時期を大きく遅角させることにより、排気温度は上昇する。さらに、このように点火時期を大きく遅角することによりエンジン１０の出力（トルク）が低下するが、燃料量を減量して未燃ＨＣを減少させたり、吸入空気量を増量してトルクダウンを回避させたりしている。排気温度の上昇により、始動開始から触媒が活性化するまでの間における大気中へのＨＣの排出を抑制しながら、触媒を急速に暖機して、触媒を急速に活性化できる。
【００６１】
三元触媒コンバータ９０における触媒の温度が上昇して活性化すると、三元触媒コンバータ９０の下流側に設けられた酸素センサの検知値号が変化する。この変化に基づいて三元触媒コンバータ９０が活性化したと判断される（Ｓ１５０にてＹＥＳ）。このとき、図３に示すような、点火時期、筒内噴射用インジェクタ１１０の噴射時期、燃料噴射量、供給空気量、ＤＩ比率ｒに従った急速触媒暖機は終了されて、後述するＤＩ比率ｒ等を用いた通常運転処理に従ってエンジン１０が制御される。この際の設定の移行は、正常時移行処理（Ｓ１６０）に従って実行される。
【００６２】
一方、急速触媒暖機中にエンジン出力が低下したときには（Ｓ１４０でＹＥＳ）、急速触媒暖機の終了判定（Ｓ１５０）を待つことなく、その時点で急速触媒暖機は一旦終了されて、通常運転処理に従ったエンジン運転が開始される。この際の設定の移行は、Ｓ１８０に従って実行される。
【００６３】
図４は、Ｓ１６０およびＳ１８０における点火遅角量設定を比較する図である。
図４を参照して、時刻ｔ０は、急速触媒暖機運転が実行から非実行へ移行するタイミングである。Ｓ１６０の実行時には、時刻ｔ１は急速触媒暖機終了条件の成立時（Ｓ１５０がＹＥＳとなったタイミング）に相当し、Ｓ１８０の実行時には、時刻ｔ１はエンジン回転数の低下検出時（Ｓ１４０がＹＥＳとなったタイミング）に相当する。
【００６４】
急速触媒暖機運転の正常終了時に実行されるＳ１６０では、運転状態をスムーズに移行するために、点火遅角量は徐々に減少される。そして、時刻ｔ１において点火遅角量＝０とされて通常運転時（Ｓ１７０）の点火時期となる。
【００６５】
これに対して、エンジンストールに至る可能性のあるエンジン出力（回転数）低下検知時に実行されるＳ１８０では、エンジン出力を早急に回復するために、直ちに点火遅角量＝０と設定される。好ましくは、次回の燃焼サイクルから通常運転時（Ｓ１７０）の点火時期とされる。
【００６６】
あるいは図５に示すように、Ｓ１６０では、時刻ｔ０からディレイＴｄ１経過後の時刻ｔ２において、点火遅角量＝０と設定して通常運転時の点火時期へ移行させる一方で、Ｓ１８０では、時刻ｔ０からのディレイＴｄ２をＳ１６０でのディレイＴｄ１よりも短くする。好ましくは、Ｔｄ２＝０とすることにより、エンジン出力（回転数）低下検知時には、直ちに点火遅角量＝０に設定して、次回の燃焼サイクルから通常運転時の点火時期とする。
【００６７】
なお、図４および図５では、Ｓ１６０およびＳ１８０の間で、点火時期の移行処理に差異を設ける制御構造例を説明したが、図３に示した点火時期以外の条件についても、Ｓ１６０およびＳ１８０によって点火時期と同様の移行処理の差異を設けてもよい。
【００６８】
以上のようにして、本実施の形態に係るエンジンＥＣＵを搭載した車両では、エンジン始動時に排気浄化触媒の急速暖機が必要な場合には、排気量の増大および排気温度の上昇に適した設定でエンジン１０を運転させる。特に、このような急速触媒暖機処理による諸条件の設定（図３）がエンジン出力を低下させる方向に作用する点を考慮して、エンジン１０の出力（回転数）低下が発生した場合には、直ちに点火時期遅角を中止して、点火時期を通常運転時復帰させることができる。これにより、急速触媒暖機運転中のエンジンの出力低下に対して迅速に対処して、エンジンストール防止効果を高めることができる。
【００６９】
さらに、図４および図５に示したように、急速触媒暖機終了条件の正常終了時（Ｓ１６０）における点火時期が復帰するまでの期間（点火遅角量＝０に設定されるまでの期間）を、エンジン出力（回転数）低下に伴う強制終了時（Ｓ１８０）よりも長く設定することにより、エンジンの出力低下時にはエンジンストール防止効果を高めるために点火時期を速やかに復帰させる一方で、急速触媒暖機終了条件の正常終了時には運転状態をスムーズに移行させることができる。
【００７０】
また、急速触媒暖機処理における好ましいＤＩ比率設定に従って、筒内噴射用インジェクタによる燃料噴射分担率が吸気通路噴射用インジェクタの燃料噴射分担率と同等かそれ以上になるように設定される。このようにすると、吸気通路噴射用インジェクタによる全体として空燃比がリーンで均質状態の混合気と、筒内噴射用インジェクタによる点火プラグ周りの空燃比がリッチな成層状態の混合気とを燃焼室内に形成させることができる。このとき、点火プラグ周りの混合気の空燃比をよりリッチにできる。その点火プラグの周りの混合気は均質（弱成層）であるので、火炎が伝播しやすく、未燃燃料（ＨＣ）が発生しにくい。このような状態において、点火時期を大きく遅角させることにより排気温度を上昇させることができ排気浄化触媒を従来技術よりも急速に暖機することができる。
【００７１】
＜他の制御構造例＞
図６には、本発明の実施の形態に係る制御装置であるエンジンＥＣＵ３００で実行されるプログラムの他の制御構造例について説明する。
【００７２】
図６を図２と比較して、図６に示されたフローチャートでは、図２に示したフローチャートと比較して、エンジン出力（回転数）の低下検出時（Ｓ１４０でのＹＥＳ）における処理が異なる。図２および図６に示されたフローチャート間で、それ以外の制御構造については同様であるので、詳細な説明は繰り返さない。
【００７３】
エンジンＥＣＵ３００は、エンジン出力（回転数）の低下検出時（Ｓ１４０でのＹＥＳ）には、Ｓ２００により、ＤＩ比率を図３に示した急速触媒暖機に適した値から、吸気通路噴射用インジェクタ１２０からの燃料噴射が主に行なわれるような値（好ましくは、ｒ＝０％）に変更する。
【００７４】
これにより、エンジン出力（回転数）の低下検出時には、エンジンでの燃焼状態を安定化させることを優先させて、吸気通路噴射用インジェクタからの噴射燃料による理論空燃比に従った均質な混合気が燃焼室内に形成された状態で、アイドル運転が継続される。
【００７５】
なお、ＤＩ比率の変更に伴い、燃焼室での燃焼状態も上記のような弱成層燃焼から均質燃焼へ移行するので、点火時期についても遅角化は終了されて通常の点火時期とされる。
【００７６】
このような制御構造としても、図２に示した制御構造と同様に、エンジン始動時に排気浄化触媒の急速暖機が必要な場合には、排気量の増大および排気温度の上昇に適した設定でエンジン１０を運転させるとともに、急速触媒暖機運転中のエンジンの出力低下に対して迅速に対処して、エンジンストール防止効果を高めることができる。
【００７７】
＜この制御装置が適用されるに適したエンジン（その１）＞
以下、本実施の形態に係る制御装置が適用されるに適したエンジン（その１）について説明する。
【００７８】
図７および図８を参照して、エンジン１０の運転状態に対応させた情報である、筒内噴射用インジェクタ１１０と吸気通路噴射用インジェクタ１２０との噴き分け比率（以下、ＤＩ比率ｒまたは単にｒと記載する。）を表わすマップについて説明する。これらのマップは、エンジンＥＣＵ３００のＲＯＭ３２０に記憶される。図７は、エンジン１０の温間用マップであって、図８は、エンジン１０の冷間用マップである。
【００７９】
図７および図８に示すように、これらのマップは、エンジン１０の回転数を横軸にして、負荷率を縦軸にして、筒内噴射用インジェクタ１１０の分担比率がＤＩ比率ｒとして百分率で示されている。
【００８０】
図７および図８に示すように、エンジン１０の回転数と負荷率とに定まる運転領域ごとに、ＤＩ比率ｒが設定されている。「ＤＩ比率ｒ＝１００％」とは、筒内噴射用インジェクタ１１０からのみ燃料噴射が行なわれる領域であることを意味し、「ＤＩ比率ｒ＝０％」とは、吸気通路噴射用インジェクタ１２０からのみ燃料噴射が行なわれる領域であることを意味する。「ＤＩ比率ｒ≠０％」、「ＤＩ比率ｒ≠１００％」および「０％＜ＤＩ比率ｒ＜１００％」とは、筒内噴射用インジェクタ１１０と吸気通路噴射用インジェクタ１２０とで燃料噴射が分担して行なわれる領域であることを意味する。なお、概略的には、筒内噴射用インジェクタ１１０は、出力性能の上昇に寄与し、吸気通路噴射用インジェクタ１２０は、混合気の均一性に寄与する。このような特性の異なる２種類のインジェクタを、エンジン１０の回転数と負荷率とで使い分けることにより、エンジン１０が通常運転状態（たとえば、アイドル時の触媒暖機時が、通常運転状態以外の非通常運転状態の一例であるといえる）である場合には、均質燃焼のみが行なわれるようにしている。
【００８１】
さらに、これらの図７および図８に示すように、温間時のマップと冷間時のマップとに分けて、筒内噴射用インジェクタ１１０と吸気通路噴射用インジェクタ１２０のＤＩ分担率ｒを規定した。エンジン１０の温度が異なると、筒内噴射用インジェクタ１１０および吸気通路噴射用インジェクタ１２０の制御領域が異なるように設定されたマップを用いて、エンジン１０の温度を検知して、エンジン１０の温度が予め定められた温度しきい値以上であると図７の温間時のマップを選択して、そうではないと図８に示す冷間時のマップを選択する。それぞれ選択されたマップに基づいて、エンジン１０の回転数と負荷率とに基づいて、筒内噴射用インジェクタ１１０および／または吸気通路噴射用インジェクタ１２０を制御する。
【００８２】
図７および図８に設定されるエンジン１０の回転数と負荷率について説明する。図７のＮＥ（１）は２５００〜２７００ｒｐｍに設定され、ＫＬ（１）は３０〜５０％、ＫＬ（２）は６０〜９０％に設定されている。また、図８のＮＥ（３）は２９００〜３１００ｒｐｍに設定されている。すなわち、ＮＥ（１）＜ＮＥ（３）である。その他、図７のＮＥ（２）や、図８のＫＬ（３）、ＫＬ（４）も適宜設定されている。
【００８３】
図７および図８を比較すると、図７に示す温間用マップのＮＥ（１）よりも図８に示す冷間用マップのＮＥ（３）の方が高い。これは、エンジン１０の温度が低いほど、吸気通路噴射用インジェクタ１２０の制御領域が高いエンジン回転数の領域まで拡大されるということを示す。すなわち、エンジン１０が冷えている状態であるので、（たとえ、筒内噴射用インジェクタ１１０から燃料を噴射しなくても）筒内噴射用インジェクタ１１０の噴口にデポジットが堆積しにくい。このため、吸気通路噴射用インジェクタ１２０を使って燃料を噴射する領域を拡大するように設定され、均質性を向上させることができる。
【００８４】
図７および図８を比較すると、エンジン１０の回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいてはＫＬ（２）以上の領域において、冷間用マップにおいてはＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用されるということを示す。すなわち、高回転領域や高負荷領域においては、筒内噴射用インジェクタ１１０のみで燃料を噴射しても、エンジン１０の回転数や負荷が高く吸気量が多いので筒内噴射用インジェクタ１１０のみでも混合気を均質化しやすいためである。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００８５】
図７に示す温間マップでは、負荷率ＫＬ（１）以下では、筒内噴射用インジェクタ１１０のみが用いられる。これは、エンジン１０の温度が高いときであって、予め定められた低負荷領域では筒内噴射用インジェクタ１１０のみが使用されるということを示す。これは、温間時においてはエンジン１０が暖まった状態であるので、筒内噴射用インジェクタ１１０の噴口にデポジットが堆積しやすい。しかしながら、筒内噴射用インジェクタ１１０を使って燃料を噴射することにより噴口温度を低下させることができるので、デポジットの堆積を回避することも考えられ、また、筒内噴射用インジェクタの最小燃料噴射量を確保して、筒内噴射用インジェクタ１１０を閉塞させないことも考えられ、このために、筒内噴射用インジェクタ１１０を用いた領域としている。
【００８６】
図７および図８を比較すると、図８の冷間用マップにのみ「ＤＩ比率ｒ＝０％」の領域が存在する。これは、エンジン１０の温度が低いときであって、予め定められた低負荷領域（ＫＬ（３）以下）では吸気通路噴射用インジェクタ１２０のみが使用されるということを示す。これはエンジン１０が冷えていてエンジン１０の負荷が低く吸気量も低いため燃料が霧化しにくい。このような領域においては筒内噴射用インジェクタ１１０による燃料噴射では良好な燃焼が困難であるため、また、特に低負荷および低回転数の領域では筒内噴射用インジェクタ１１０を用いた高出力を必要としないため、筒内噴射用インジェクタ１１０を用いないで、吸気通路噴射用インジェクタ１２０のみを用いる。
【００８７】
また、通常運転時以外の場合、エンジン１０がアイドル時の触媒暖機時の場合（非通常運転状態であるとき）、上述のように、成層燃焼を行なうように筒内噴射用インジェクタ１１０が制御される。このような触媒暖機運転中にのみ成層燃焼させることで、触媒暖機を促進させ、排気エミッションの向上を図る。
【００８８】
＜この制御装置が適用されるに適したエンジン（その２）＞
以下、本実施の形態に係る制御装置が適用されるに適したエンジン（その２）について説明する。なお、以下のエンジン（その２）の説明において、エンジン（その１）と同じ説明については、ここでは繰り返さない。
【００８９】
図９および図１０を参照して、エンジン１０の運転状態に対応させた情報である、筒内噴射用インジェクタ１１０と吸気通路噴射用インジェクタ１２０との噴き分け比率を表わすマップについて説明する。これらのマップは、エンジンＥＣＵ３００のＲＯＭ３２０に記憶される。図９は、エンジン１０の温間用マップであって、図１０は、エンジン１０の冷間用マップである。
【００９０】
図９および図１０を比較すると、以下の点で図７および図８と異なる。エンジン１０の回転数が、温間用マップにおいてはＮＥ（１）以上の領域において、冷間用マップにおいてはＮＥ（３）以上の領域において、「ＤＩ比率ｒ＝１００％」である。また、負荷率が、温間用マップにおいては低回転数領域を除くＫＬ（２）以上の領域において、冷間用マップにおいては低回転数領域を除くＫＬ（４）以上の領域において、「ＤＩ比率ｒ＝１００％」である。これは、予め定められた高エンジン回転数領域では筒内噴射用インジェクタ１１０のみが使用されること、予め定められた高エンジン負荷領域では筒内噴射用インジェクタ１１０のみが使用される領域が多いことを示す。しかしながら、低回転数領域の高負荷領域においては、筒内噴射用インジェクタ１１０から噴射された燃料により形成される混合気のミキシングが良好ではなく、燃焼室内の混合気が不均質で燃焼が不安定になる傾向を有する。このため、このような問題が発生しない高回転数領域へ移行するに伴い筒内噴射用インジェクタの噴射比率を増大させるようにしている。また、このような問題が発生する高負荷領域へ移行するに伴い筒内噴射用インジェクタ１１０の噴射比率を減少させるようにしている。これらのＤＩ比率ｒの変化を図９および図１０に十字の矢印で示す。このようにすると、燃焼が不安定であることに起因するエンジンの出力トルクの変動を抑制することができる。なお、これらのことは、予め定められた低回転数領域へ移行するに伴い筒内噴射用インジェクタ１１０の噴射比率を減少させることや、予め定められた低負荷領域へ移行するに伴い筒内噴射用インジェクタ１１０の噴射比率を増大させることと、略等価であることを確認的に記載する。また、このような領域（図９および図１０で十字の矢印が記載された領域）以外の領域であって筒内噴射用インジェクタ１１０のみで燃料を噴射している領域（高回転側、低負荷側）においては、筒内噴射用インジェクタ１１０のみでも混合気を均質化しやすい。このようにすると、筒内噴射用インジェクタ１１０から噴射された燃料は燃焼室内で気化潜熱を伴い（燃焼室から熱を奪い）気化される。これにより、圧縮端での混合気の温度が下がる。これにより対ノッキング性能が向上する。また、燃焼室の温度が下がるので、吸入効率が向上し高出力が見込める。
【００９１】
なお、図７〜図１０を用いて説明したこのエンジン１０においては、均質燃焼は筒内噴射用インジェクタ１１０の燃料噴射タイミングを吸気行程とすることにより、成層燃焼は筒内噴射用インジェクタ１１０の燃料噴射タイミングを圧縮行程とすることにより実現できる。すなわち、筒内噴射用インジェクタ１１０の燃料噴射タイミングを圧縮行程とすることで、点火プラグ周りにリッチ混合気が偏在させることにより燃焼室全体としてはリーンな混合気に着火する成層燃焼を実現することができる。また、筒内噴射用インジェクタ１１０の燃料噴射タイミングを吸気行程としても点火プラグ周りにリッチ混合気を偏在させることができれば、吸気行程噴射であっても成層燃焼を実現できる。
【００９２】
また、ここでいう成層燃焼には、成層燃焼と以下に示す弱成層燃焼の双方を含むものである。弱成層燃焼とは、吸気通路噴射用インジェクタ１２０を吸気行程で燃料噴射して燃焼室全体にリーンで均質な混合気を生成して、さらに筒内噴射用インジェクタ１１０を圧縮行程で燃料噴射して点火プラグ周りにリッチな混合気を生成して、燃焼状態の向上を図るものである。このような弱成層燃焼は触媒暖機時に好ましい。これは、以下の理由による。すなわち、触媒暖機時には高温の燃焼ガスを触媒に到達させるために点火時期を大幅に遅角させ、かつ良好な燃焼状態（アイドル状態）を維持する必要がある。また、ある程度の燃料量を供給する必要がある。これを成層燃焼で行なおうとしても燃料量が少ないという問題があり、これを均質燃焼で行なおうとしても良好な燃焼を維持するために遅角量が成層燃焼に比べて小さいという問題がある。このような観点から、上述した弱成層燃焼を触媒暖機時に用いることが好ましいが、成層燃焼および弱成層燃焼のいずれであっても構わない。
【００９３】
また、図７〜図１０を用いて説明したエンジンにおいては、筒内噴射用インジェクタ１１０による燃料噴射のタイミングは、以下のような理由により、圧縮行程で行なうことが好ましい。ただし、上述したエンジン１０は、基本的な大部分の領域には（触媒暖機時にのみに行なわれる、吸気通路噴射用インジェクタ１２０を吸気行程噴射させ、筒内噴射用インジェクタ１１０を圧縮行程噴射させる弱成層燃焼領域以外を基本的な領域という）、筒内噴射用インジェクタ１１０による燃料噴射のタイミングは、吸気行程である。しかしながら、以下に示す理由があるので、燃焼安定化を目的として一時的に筒内噴射用インジェクタ１１０の燃料噴射タイミングを圧縮行程噴射とするようにしてもよい。
【００９４】
筒内噴射用インジェクタ１１０からの燃料噴射時期を圧縮工程中とすることで、筒内温度がより高い時期において、燃料噴射により混合気が冷却される。冷却効果が高まるので、対ノック性を改善することができる。さらに、筒内噴射用インジェクタ１１０からの燃料噴射時期を圧縮工程中とすると、燃料噴射から点火時期までの時間が短いことから噴霧による気流の強化を実現でき、燃焼速度を上昇させることができる。これらの対ノック性の向上と燃焼速度の上昇とから、燃焼変動を回避して、燃焼安定性を向上させることができる。
【００９５】
さらに、エンジン１０の温度によらず（すなわち、温間時および冷間時のいずれの場合であっても）、オフアイドル時（アイドルスイッチがオフの場合、アクセルペダルが踏まれている場合）には、図７または図９に示す温間マップを用いるようにしてもよい（冷間温間を問わず、低負荷領域において筒内噴射用インジェクタ１１０を用いる）。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明の実施の形態に係る制御装置で制御されるエンジンシステムの概略構成図である。
【図２】本発明の実施の形態に係る制御装置であるエンジンＥＣＵで実行されるプログラムの制御構造例を示すフローチャートである。
【図３】本発明の実施の形態における急速触媒暖機処理の条件を示す図である。
【図４】急速触媒暖機運転の正常終了時とエンジン回転数低下検出による終了時との間での点火遅角量設定の差異を説明する第１の図である。
【図５】急速触媒暖機運転の正常終了時とエンジン回転数低下検出による終了時との間での点火遅角量設定の差異を説明する第２の図である。
【図６】本発明の実施の形態に係る制御装置であるエンジンＥＣＵで実行されるプログラムの他の制御構造例を示すフローチャートである。
【図７】本発明の実施の形態に係る制御装置が適用されるに好適なエンジンの温間時のＤＩ比率マップを表わす図（その１）である。
【図８】本発明の実施の形態に係る制御装置が適用されるに好適なエンジンの冷間時のＤＩ比率マップを表わす図（その１）である。
【図９】本発明の実施の形態に係る制御装置が適用されるに好適なエンジンの温間時のＤＩ比率マップを表わす図（その２）である。
【図１０】本発明の実施の形態に係る制御装置が適用されるに好適なエンジンの冷間時のＤＩ比率マップを表わす図（その２）である。
【符号の説明】
【００９８】
１０  エンジン、２０  インテークマニホールド、３０  サージタンク、４０  吸気ダクト、４２  エアフローメータ、５０  エアクリーナ、６０  電動モータ、７０  スロットルバルブ、８０  エキゾーストマニホールド、９０  三元触媒コンバータ、１００  アクセルペダル、１１０  筒内噴射用インジェクタ、１１２  気筒、１２０  吸気通路噴射用インジェクタ、１３０，１６０  燃料分配管、１４０  逆止弁、１５０  高圧燃料ポンプ、１５２  電磁スピル弁、１７０  燃料圧レギュレータ、１８０  低圧燃料ポンプ、１９０  燃料フィルタ、２００  燃料タンク、３８０  水温センサ、４００  燃料圧センサ、４２０  空燃比センサ、４４０  アクセル開度センサ、４６０  エンジン回転数センサ、ｒ  ＤＩ比率、Ｔｄ１，Ｔｄ２  ディレイ。
【図１】
0004581887.tif 000002
【図２】
0004581887.tif 000003
【図３】
0004581887.tif 000004
【図４】
0004581887.tif 000005
【図５】
0004581887.tif 000006
【図６】
0004581887.tif 000007
【図７】
0004581887.tif 000008
【図８】
0004581887.tif 000009
【図９】
0004581887.tif 000010
【図１０】
0004581887.tif 000011